(57)【要約】【課題】記憶性表示部を備え、低消費電力でＡＣ電源回路が不要な外部表示装置を提供する。【解決手段】記憶性表示部を備える外部表示装置において、ホスト装置から入力される１フレーム分の表示画像データの一部または全部について、以前に入力された表示画像データの対応データと比較し、変化があった場合のみ前記記憶性表示部に最後に入力された表示画像データの画像を更新表示させる表示制御手段を備える。【選択図】図９
2011085737.tif 000002
【特許請求の範囲】
【請求項１】
電源が切断されてもデータ表示を継続できる記憶性表示部を備え、表示画像データを送出するホスト装置に接続して使用される外部表示装置であって、
前記ホスト装置から入力される１フレーム分の表示画像データの一部または全部について、以前に入力された表示画像データの対応データと比較し、変化があった場合のみ前記記憶性表示部に最後に入力された表示画像データの画像を更新表示させる表示制御手段を備えることを特徴とする外部表示装置。
【請求項２】
前記ホスト装置から電源供給を受けて動作することを特徴とした請求項１に記載の外部表示装置。
【請求項３】
電池を内蔵し、当該電池により動作することを特徴とした請求項１に記載の外部表示装置。
【請求項４】
数フレーム間隔で前記表示画像データ間の比較を行うことを特徴とする請求項１乃至３のいずれか１項に記載の外部表示装置。
【請求項５】
比較される表示画像データ間の変化の程度に応じて、前記記憶性表示部への更新表示を抑止させる抑止機能を更に備えたことを特徴とする請求項１乃至４のいずれか１項に記載の外部表示装置。
【請求項６】
表示指示手段を更に備え、該表示指示手段が操作されたときに入力された１フレームの表示画像データを取得して前記記憶性表示部に表示することを特徴とする請求項１乃至５のいずれか１項に記載の外部表示装置。
【請求項７】
電源が切断されてもデータ表示を継続できる記憶性表示部を備え、表示画像データを送出するホスト装置に接続して使用される外部表示装置の表示制御方法であって、
表示制御手段が、前記ホスト装置から入力される１フレーム分の表示画像データの一部または全部について、以前に入力された表示画像データの対応データと比較し、変化があった場合のみ前記記憶性表示部に最後に入力された表示画像データの画像を更新表示させることを特徴とする表示制御方法。
【請求項８】
請求項７に記載の表示制御方法を、コンピュータに実行させるためのコンピュータプログラム。
【発明の詳細な説明】
【技術分野】
【０００１】
本発明は、情報機器等に接続し使用するための、電子ペーパー等の記憶性表示部を備えた外部表示装置、表示制御方法及びコンピュータプログラムに関する。
【背景技術】
【０００２】
従来の外部表示装置は、その消費電力が大きいことから、一般にはＡＣ電源からの電源供給が必要であり、ＡＣコンセントが無い環境では使用することができなかった。
しかしながら、この種の表示装置の記憶性表示体として、例えば、黒色の帯電粒子と白色の分散媒とで形成される電気泳動分散液を内包する複数のマイクロカプセルが配された表示層及び、その表示層を挟み込むように配置された一対の電極（透明電極及び非透明電極）を含む電気泳動表示体と、その透明電極と非透明電極との間に、任意の電圧を印可可能な駆動回路とを備えたものがある（例えば、特許文献１参照）。
特許文献１の表示装置にあっては、通常、透明電極と非透明電極との間に所定電圧を印可し、それらに挟まれた任意のマイクロカプセルの帯電粒子を透明電極側に吸着させ、その吸着させた帯電粒子によって、透明電極側に任意の情報を表示させるようになっている。また、透明電極側に帯電粒子を吸着させた状態から駆動回路をオフ状態、つまり駆動回路を開放状態とすると、両電極には電荷が保持されるため、この保持される電荷のクーロン力で帯電粒子は透明電極側に吸着された状態となる。つまり、一切電力を供給していない状態で、帯電粒子が吸着した状態が保持され、透明電極側に情報が表示され続ける。
【０００３】
また、特許文献２の表示装置にあっては、マイクロカプセル内に、黒色の帯電粒子と白色の帯電粒子がシリコーンオイル等の粘性の高い透明な分散媒に分散された状態で封入されている公知の電気泳動型表示パネルを用いており、この分散媒の粘度が高いため、電極に電圧を印加して表示状態を変化させた後、その電圧の印加を停止しても、それぞれの粒子の分子間力により、その表示状態を保持するメモリ性効果を持つことが出来ている。
情報装置等から送出された画像データを表示する外部表示装置でも、同様の電子ペーパーを使用することで、表示関連の消費電力を抑制することができ、ホスト装置から電源供給を受けて駆動させるようにして、電源レス化を図ったものが知られている。
例えば、特許文献３では、ホスト装置としてのパーソナルコンピュータ用の外付けの表示装置として、電子ペーパーを使用し、パソコン側からデータ信号に加えて電源供給を受けて駆動させることで、電源レス化を図った外部表示装置が提案されている。
また、特許文献４には、情報装置（デジタルカメラ、デジタルビデオカメラ、パーソナルコンピュータ、ＰＤＡ、携帯電話機）から電源供給するようにした、電子ペーパーを使用し電源レス化した電気消費が少ない外部表示装置が開示されている。
【発明の概要】
【発明が解決しようとする課題】
【０００４】
然しながら、ホスト装置に外部表示装置を接続して使用される特許文献１、特許文献３等に開示の表示システムは、専用の制御プログラムをホスト装置に導入し、且つ、表示装置に表示したい画像情報を、ユーザが選択して、表示操作を行うものであり、表示切替えに際しては、ユーザが操作する必要があるため、表示画像を頻繁に変更する用途の場合には、その操作が煩雑になってしまうという難点がある。
また、特に常時所定周期で自動的に表示を書換え動作する用途の外部表示装置の場合には、電子ペーパーを使用したものでも、書換え動作のための電力消費が大きくなり、電源レス化と小型化が困難であった。
従って、本発明では、低消費電力で接続されたホスト装置からの供給電力で動作可能な電源レス化した、または、内蔵電池を備え外部からの電源供給不要とした、ＡＣ電源回路が不要な外部表示装置を提供することを目的とする。
【課題を解決するための手段】
【０００５】
上記課題を解決するために、請求項１に記載の発明は、電源が切断されてもデータ表示を継続できる記憶性表示部を備え、表示画像データを送出するホスト装置に接続して使用される外部表示装置において、前記ホスト装置から入力される１フレーム分の表示画像データの一部または全部について、以前に入力された表示画像データの対応データと比較し、変化があった場合のみ前記記憶性表示部に最後に入力された表示画像データの画像を更新表示させる表示制御手段を備えることを特徴とする。これにより、画像が変わったときのみ、表示画像を書き換えるので、消費電力を抑えることが可能になる。
また、請求項２に記載の発明は、請求項１に記載の外部表示装置において、前記ホスト装置から電源供給を受けて動作することを特徴とする。装置の小型化が可能になる。
また、請求項３に記載の発明は、請求項１に記載の外部表示装置において、電池を内蔵し、当該電池により動作することを特徴とする。これにより、ホスト装置からの電源供給を受けることなく、表示装置に画像を表示することが可能になる。ＡＣ電源のない場所においても、外部表示装置を使用することができる。
【０００６】
また、請求項４に記載の発明は、請求項１乃至３のいずれか１項に記載の外部表示装置において、数フレーム間隔で前記表示画像データ間の比較を行うことを特徴とする。更なる省電力化が可能となる。
また、請求項５に記載の発明は、請求項１乃至４のいずれか１項に記載の外部表示装置において、比較される表示画像データ間の変化の程度に応じて、前記記憶性表示部への更新表示を抑止させる抑止機能を更に備えたことを特徴とする。更なる省電力化が可能となる。
また、請求項６に記載の発明は、請求項１乃至５のいずれか１項に記載の外部表示装置において、表示指示手段を更に備え、該表示指示手段が操作されたときに入力された１フレームの表示画像データを取得して前記記憶性表示部に表示することを特徴とする。随時画像表示させることができるから、ユーザの使い勝手が向上する。
【０００７】
請求項７に記載の発明は、電源が切断されてもデータ表示を継続できる記憶性表示部を備え、表示画像データを送出するホスト装置に接続して使用される外部表示装置の表示制御方法であって、表示制御手段が、前記ホスト装置から入力される１フレーム分の表示画像データの一部または全部について、以前に入力された表示画像データの対応データと比較し、変化があった場合のみ前記記憶性表示部に最後に入力された表示画像データの画像を更新表示させることを特徴とする。
また、請求項８の発明は、請求項７に記載の表示制御方法を、コンピュータに実行させるためのコンピュータプログラムである。
【発明の効果】
【０００８】
本発明によれば、ＡＣ電源不要で小型化可能な外部表示装置を提供することができる。従って、接続されるホスト装置が内蔵電源を有していれば、ＡＣ電源のない場所においても、そのホスト装置と本発明の外部表示装置を組み合わせて使用可能となる。
【図面の簡単な説明】
【０００９】
【図１】第１実施形態に係る情報表示システムの機能構成ブロック図である。
【図２】同実施形態に係る表示部の内部構成ブロック図である。
【図３】図２における電気泳動表示体を破断して示す説明図である。
【図４】（ａ）乃至（ｃ）は、ホスト装置から送出されるＶｉｄｅｏ信号の説明図である。
【図５】表示装置の表示に係る動作を説明するフローチャートである。
【図６】ライン制御による１フレーム分の画素データの取り込み動作を説明するフローチャートである。
【図７】表示指示手段による画像更新動作を説明するフローチャートである。
【図８】表示装置の表示に係る動作を説明するフローチャートである。
【図９】第２実施形態の表示装置の表示に係る動作を説明するフローチャートである。
【図１０】第３実施形態に係る情報表示システムの機能構成ブロック図である。
【発明を実施するための形態】
【００１０】
［第１実施形態］
以下、図面を参照して、本発明の実施形態を詳細に説明する。実施形態では、本発明に係る外部表示装置１００（外付け表示装置、以下、単に表示装置と記す）と、ホスト装置２００とで構成された情報表示システム（装置）を例として説明する。
図１に表示装置１００およびホスト装置２００のブロック図を示す。
表示装置１００は、記憶性表示部としての電子ペーパー１８０と表示制御手段としての表示制御回路１４０を備え、明示しないＣＰＵ等を含み構成されて表示装置全体の動作の制御を行うコントローラ１１０は、Ｖｉｄｅｏ−Ｉ／Ｆ１２０を通してホスト装置２００から送られてくる画像データを、画像メモリ１３０に蓄積し、表示制御回路１４０はコントローラ１１０からの指示で画像メモリ１３０に蓄積された画像データを電子ペーパー１８０に表示する。電源制御回路１５０はホスト装置２００から供給された電源を、表示装置１００内の各回路用に調整して供給する役割を持つ。なお、１６０は、ユーザが任意に表示更新を行うための表示指示手段としての押しボタンＳＷである。
電子ペーパー１８０は、電源が切断されてもデータ表示を継続できる特性をもっている電気泳動表示体１８２を主体に構成された記憶性表示部である。なお、この種の記憶性表示部としては、電気泳動型の他にも、コレステリック液晶型など各種方式の記憶性表示媒体があり、これらを使用することもできる。
【００１１】
図２に、本実施形態で採用している既知構成の表示部の内部構成をブロック図で示す。また、図３は電気泳動表示体１８２を破断して示す説明図である。
この電気泳動表示体１８２は、表示装置１の前面中央に配置され、表示層１８６及び一対の電極１８７、１８８を含んで構成される。
これらのうち、表示層１８６は、図３に示すように、負に帯電された黒色の帯電粒子１８９ａと、白色の分散媒１８９ｂとで形成される電気泳動分散液１８９を内包する複数のマイクロカプセル１９０が配された層である。
また、一対の電極１８７、１８８は、表示層１８６を挟み込むように配置され、前面側を覆う透明電極１８７と、背面側を覆う非透明電極１８８とで形成される。また、透明電極１８７は、共通電極を形成している。さらに、非透明電極１８８は、マトリクス状に配置された複数の画素電極を形成し、ＴＦＴ駆動回路１８３、１８４によって、各画素電極それぞれが任意の電位とされる。
図２に示すＴＦＴ駆動回路１８３、１８４は、後述するようにホスト装置２００から表示装置１００に送出されて画像メモリ１３０に蓄積される画像データに基づき表示制御回路１４０を介して、各画素電極のＴＦＴを駆動させる。すると、透明電極１８７と非透明電極１８８との間に所定の電圧が印可され、それらの電極１８７、１８８に挟まれた任意のマイクロカプセル１９０の帯電粒子１８９ａが透明電極１８７側に吸着され、その吸着された帯電粒子１８９ａによって、透明電極１８７側、つまり電気泳動表示体１８２の前面側に所望の画像が表示される。
【００１２】
次に、ホスト装置２００について説明する。ホスト装置２００は、図１の機能構成ブロック図に示すように、コントローラ部３００に、全体の動作の制御を行うＣＰＵ（Central Processing Unit）２１０、ＲＯＭ（Read Only Memory）２２０、およびプログラムが記憶され実行されるＲＡＭ（Random Access Memory）（メモリ）２３０、メモリカードインタフェース（以下、「メモリカードＩ／Ｆ」という。）２４０、メモリカードＩ／Ｆ制御部２４１、ネットワークＩ／Ｆ２５０、ネットワークＩ／Ｆ制御部２５１、記憶装置２６０、表示回路２７０を含み構成されている。また、電源スイッチ２８１、電源回路２８０、二次電池（バッテリ）２９０を有していて、電源回路２８０にＡＣ電源が供給され、各部に電力供給をすると同時に二次電池である二次電池２９０の充電を行う。
例示の情報表示システムではホスト装置２００のコントローラ部３００が、メモリカードＩ／Ｆ２４０にセットされたメモリカード（不図示）から、あるいはネットワークＩ／Ｆ部２５０を使ってネットワークで接続された適宜のサーバ（装置）から、自装置において表示する情報等をダウンロードして、記憶装置２６０に記憶された画像データを、適時に表示回路２７０がビデオＩ／Ｆ部（不図示）を介して表示部１００に送出して表示させる。なお、電源回路２８０からは、常時あるいは画像データ送出に同期させて表示部１００に電源が供給される。
【００１３】
表示部１００に画像データを送出可能なＶｉｄｅｏインターフェイス仕様として、ＤＶＩ（Digital Visual Interface）、ＨＤＭＩ（High-Definition Multimedia Interface）規格等のデジタル信号データがあるが、通常のＣＲＴ用アナログ信号で出力されている場合には、Ｖｉｄｅｏ−Ｉ／Ｆ（１４）に適宜のＡ／Ｄ変換回路を組み込み構成することでデジタルデータに変換することが可能である。ちなみに、ホスト装置２００からデジタルデータ送出と併行して電源供給可能なインターフェイスとしても良く、この種のインターフェイスの代表的なものとしては、例えば、ＵＳＢ規格（Universal Serial Bus）、ＩＥＥＥ１３９４規格等の手段がある。
図４に、ホスト装置２００の表示回路２７０から送出されるＶｉｄｅｏ信号（デジタル信号データ）を示す。（ａ）に示すように１画面は、フレーム単位で定義されており、フレームを制御する信号がＦｓｙｎｃである。（ｂ）に示すように夫々の１フレームはＮ本ラインで構成され、（ｃ）に示すように夫々の１ラインはＭ個の画素で構成されている。ラインを制御する信号がＬｓｙｎｃであり、画素データは画素クロックに同期して送出される。
【００１４】
次に、表示装置１００の表示に係る動作を図５のフローチャートに、また、ライン制御による１フレーム分の画素データの取り込み動作を図６のフローチャートに示す。図５によれば、フレームＦの画像データＩを画像メモリ１３０に蓄積し（ステップ；Ｓ１００）、次に入力されたフレームＦ＋１の画像データＩ＋１を画像メモリ１３０に蓄積する（Ｓ１１０）。続いて、コントローラ１１０は、二つのフレームの画像データを画像メモリ１３０から夫々のフレームの画素データを取り込み（図６参照）、対応する画素を比較し、二つの蓄積画像が同じ画像であるか否かを判定する（Ｓ１２０）。図６は、ライン制御による１フレーム分の画素データの取り込み動作（ステップ；Ｓ１２１〜Ｓ１２６）を示すフローチャートである。
同一画像であるか否かの判定に際しては、例えば、所定画素数で構成される１フレームの全データを対応する画素毎に全数比較し、異なるデータ（レベル）の画素ペア数の総数Ｔｄと、同一データ（レベル）の画素ペア数の総数Ｔｓと、ＴｄとＴｓの比を求め、得られた比が設定値（例えば１％）以下の場合を同一画像とし、同設定値を超えている場合を異なる画像が入力されたと判定する。このように、その差分量Δが０（ゼロ）でなくても、微少であれば同一画像と判定する。設定値は、取り扱う画像の種類に応じて適切な値が設定される。この設定値は、適宜切替え可能にしておくと好適である。
【００１５】
コントローラ１１０が同じ画像ではないと判断したときには（Ｓ１２０：Ｎｏ）、表示制御回路１４０を使って、最新の画像データＩ＋１を電子ペーパー１８０に表示する（Ｓ１３０）と共に、画像メモリ１３０に次回の比較のための参照用データとして更新（設定）し（Ｓ１３５）、フレームのカウントアップ（Ｓ１６０）をした後、ステップ（Ｓ１１０）に戻り、以降は同様にして、次のフレームの画像データを画像メモリ１３０に蓄積し、同じ画像であるかどうかの判断を繰り返す。
これに対して、コントローラ１１０が、その差分量Δが略０（ゼロ）で同じ画像と判断したときには（Ｓ１２０：Ｙｅｓ）、画像表示することなく、また、参照用の画像データを維持して、フレームのカウントアップのみを行う（Ｓ１６０）。以降は、ステップ（Ｓ１１０）に戻り、次のフレームの画像データを画像メモリ１３０に蓄積し、同じ画像であるかどうかの判断を繰り返す。
以上の動作により、連続する画像が変わったときのみ、表示制御回路１４０は電子ペーパー１８０を動作させるので、消費電力を抑えることが可能になる。上述処理では、同一画像と判定した場合に、画像メモリ１３０内の参照用データとして元の参照用画像データＩを維持するようにしている。これにより、入力画像が徐々に変化していくような場合でも、変化量が一定以上になると、表示の切替えと参照用データの更新が行われる。
なお、画像の同異の判定方法としては、上記した以外にも予め定めた領域（複数でも可）内の対応位置の画像データについてレベルを比較し計数し、比率を算出して、この比率の大小によって判定をするようにしても良く、高速化が図れる。用途に応じては、予め定めた離間した位置の複数の画像データについてのみ比較を行うようにしても良い。
【００１６】
また、実施形態装置は、上述した定間隔の自動表示動作と併用してユーザが任意のタイミングで表示画像の更新を行うことが可能になっている。すなわち、図１に示したブロック図において、表示装置１００は表示指示手段としての押しボタンＳＷ１６０を備えており、この押しボタンＳＷ１６０が押されたときにも画像が更新される。
この時の動作のフローチャートを図７に示す。この押しボタンＳＷ１６０が押されるのを監視し（ステップ；Ｓ２０１）、押されたことをコントローラ１１０が検知すると（Ｓ２０１：Ｙｅｓ）、次の１フレームの画像データのみ画像メモリ１３０にストアし（Ｓ２０２）、この画像データを表示制御回路１４０を使って、電子ペーパー１８０に表示する（Ｓ２０３）。また、表示した１フレーム分の画像データで、画像メモリ１３０内の参照用データを更新する。この動作により、ユーザは任意のタイミングで次の画像を表示させることができることになる。
なお、この表示指示手段による表示機能のみを既述した自動表示動作に替えて単独で使用も可能になっている。この設定にした場合には、ユーザは任意のタイミングで表示装置に画像を表示させることができ、且つ、表示装置の消費電力を最小限に抑えることができる。
【００１７】
以上説明したように、本実施形態の外部表示装置によれば、前表示と充分に異なる画像データが入力された場合のみ、表示画像を書き換えるので、消費電力を抑えることが可能になり、装置を小型化することができる。また、表示指示手段によって、画像を随時表示させることも可能になっている。
なお、既述した表示制御と異なる制御として、図８のフローチャートに示すようにしても良い。図５と同一処理のステップには、同一番号を付してある。図８の処理では、ステップ（Ｓ１２０）の処理で、コントローラ１１０が同じ画像であると判断した場合に（Ｓ１２０：Ｙｅｓ）、画像表示することなく、直近に入力された画像データＩ＋１を参照用に設定し（Ｓ１５０）、フレームのカウントアップをし（Ｓ１６０）、ステップ（Ｓ１１０）に戻って、以降は同様にして、次のフレームの画像データを画像メモリ１３０に蓄積し、同じ画像であるかどうかの判断を繰り返す。常に直近に入力されたデータを画像メモリ１３０内の参照用データとして更新するようにしている。
同じ画像ではないと判断した場合には（Ｓ１２０：Ｎｏ）、画像データＩ＋１を表示し（Ｓ１３０）、参照用に蓄積して（Ｓ１４０、Ｓ１５０）、フレームのカウントアップ（Ｓ１６０）を実行し、ステップ（Ｓ１１０）に戻る。
この場合も、画像が参照用画像と大きく変わったときには表示制御回路１４０が電子ペーパー１８０を動作させるので、用途によって実用上充分に機能する。この制御では、処理部の動作が更に減りその消費電力を抑えることが可能になる。このような制御とした場合についても本願発明に含まれる。
【００１８】
以上説明した実施形態において、蓄積した２つのフレームの画像データを比較する際、その差分量Δが０（ゼロ）でなくても、ある基準値の範囲内であれば同じ画像と見なすようにすると好適である。すなわち、フレーム間の差分量が大きい場合（例えば、充分多数の対応画素において輝度データが異なる場合）に画像表示を行う。このようにすることで、電子ペーパー１８０の表示書換えの回数を減らすことができ、さらなる省電力が可能になる。ここで、差分量の基準値は、ユーザが設定できるようにしても良い。なお、多色画像の場合は、通常は適宜の着目した単色の輝度データについて比較、判定を行えば足りる。
【００１９】
［第２実施形態］
次に、１以上の間隔を空けた入力フレーム間で、換言すれば数フレーム間隔で、表示画像データを比較するようにした第２実施形態を示す。本実施形態における表示装置１００の表示に係る動作のフローチャートを、図９に示す。
図９では、フレームＦの画像データＩを画像メモリ１３０にストアし（ステップ；Ｓ３００、蓄積）、以降順次送られてくる入力画像データのうちの、ｘフレーム後（例えばｘ＝５）のフレームＦ＋ｘの画像データＩ＋ｘを再び画像メモリ１３０にストア（蓄積）する（Ｓ３１０）。この間の入力画像データについては処理を行わず入力回数の監視だけ行う。そして、コントローラ１１０は、前実施形態と同様に２つのフレームの画像データを画像メモリ１３０から夫々のフレームの画素データを取り込み（図６参照）、対応する画素を比較、判定し（Ｓ３２０）、同じ画像ではないと判断すると（Ｓ３２０：Ｎｏ）、表示制御回路１４０を使って画像データＩ＋ｘを電子ペーパー１８０に表示する（Ｓ３３０）。
【００２０】
そして、画像データＩ＋ｘを参照用に設定した後（Ｓ３３５）、フレームのカウントアップをして（Ｓ３４０、Ｓ３６０）、ステップ（Ｓ３１０）に戻り、以後は同様処理を繰り返す。
しかし、同じ画像である判断したときには（Ｓ３２０：Ｙｅｓ）、画像表示することなく、フレームのカウントアップ（Ｓ３６０）をして、ステップ（Ｓ３１０）に戻り、さらにｘフレーム後の画像データを画像メモリ１３０にストアし、上述したと全く同様に２つの画像が同じ画像であるかの比較と判定を繰り返すことになる。
本実施形態のように、画像データのストアを毎フレーム行うのではなく、ｘフレーム間隔で行うことにより、回路の消費電力を減少させることができ、さらなる省電力化が可能になる。ここで、比較のためにストアする（取り込む）フレーム間隔の値ｘは、随時ユーザが設定できるようにしても良い。
【００２１】
［第３実施形態］
続いて、第３実施形態について説明する。図１０に、電池を内蔵した第３実施形態の表示装置（外部表示装置）１００Ａと、ホスト装置２００でなる情報表示システム（装置）のブロック図を示す。表示装置１００Ａは、図１で説明したものと略同等構成で、内部電源として電池１７０を備え、電源供給制御回路１５０に電力を供給可能になっている点のみが異なっている。その他の部分には、図１と同一部分に同一符号を付してあり、重複する説明は、省略する。画像表示動作は全く同一である。
この表示装置１００Ａによれば、ホスト装置２００からの電源供給は受けることなく、画像を表示することが可能になる。ホスト装置２００も二次電池を内蔵しているから、ＡＣ電源が無い場所にても使用が可能で長時間使用が可能である。
なお、本発明の実施の形態に係る表示制御方法は、例えば、コントローラ１１０を構成しているＣＰＵが適宜の記憶部に記憶されたコンピュータプログラムに従い、実行される。また、本発明の実施の形態に係るコンピュータプログラムは、適宜の記憶部に格納される。
なお、上述した各実施の形態は、本発明の好適な実施の形態の一例を示すものであり、本発明はそれに限定されることなく、その要旨を逸脱しない範囲内において、種々変形実施が可能である。
【符号の説明】
【００２２】
１００、１００Ａ  （外部）表示装置、１１０  コントローラ、１２０  Ｖｉｄｅｏ−Ｉ／Ｆ部、１３０  画像メモリ、１４０  表示制御回路、１５０  電源制御回路、１６０  押しボタンＳＷ（表示指示手段）、１７０  電池、１８０  電子ペーパー（記憶性表示部）、２００  ホスト装置、２１０  ＣＰＵ、２２０  ＲＯＭ、２３０  ＲＡＭ、２４０  メモリカードＩ／Ｆ、２４１  メモリカードＩ／Ｆ制御部、２５０  ネットワークＩ／Ｆ部、２５１  ネットワークＩ／Ｆ制御部、２６０  記憶装置、２７０  表示回路、２８０  電源回路、２８１  電源スイッチ、２９０  二次電池（バッテリ）、３００  コントローラ部
【先行技術文献】
【特許文献】
【００２３】
【特許文献１】特開２００２−３５７８５３公報
【特許文献２】特開２００９−４８０７７公報
【特許文献３】特開２００８−１４０１７３公報
【特許文献４】特開２００６−２０２０３０公報
【図１】
2011085737.tif 000003
【図２】
2011085737.tif 000004
【図３】
2011085737.tif 000005
【図４】
2011085737.tif 000006
【図５】
2011085737.tif 000007
【図６】
2011085737.tif 000008
【図７】
2011085737.tif 000009
【図８】
2011085737.tif 000010
【図９】
2011085737.tif 000011
【図１０】
2011085737.tif 000012